(57)【特許請求の範囲】
【請求項１】
複数の綴込みリングを有する綴じ具を本体カバーに備え、一辺部に複数の綴じ穴が形成された綴込み用紙を、前記綴じ穴に前記綴込みリングを挿通することにより前記本体カバーに綴じ込むシステム手帳であって、
前記綴込み用紙の頁間に挟み込まれる目印として用いられる長尺な紐状の栞と、
前記栞を、前記綴込み用紙の頁間に位置させて当該綴込み用紙から脱落しないように保持する脱落防止手段として、前記栞の途中部に位置して前記綴じ具と係合することにより当該栞の移動を阻止する干渉部とを備え、
前記干渉部を平板状に形成したことを特徴とするシステム手帳。
【請求項２】
前記栞の一端部に、前記綴込みリング或は前記綴じ具に対して着脱可能に取り付けられる装着部を設けたことを特徴とすることを特徴とする請求項１記載のシステム手帳。
【請求項３】
前記複数の綴込みリングの上側に位置して、栞用の補助取付け部を設け、
前記栞は、前記補助取付け部或は前記綴込みリングに対して前記装着部により着脱可能に取り付けられることを特徴とする請求項２記載のシステム手帳。
【請求項４】
前記綴じ具は、前記複数の綴込みリングを支持するベースと、前記ベースに設けられ、前記綴込み用紙を綴じ込む閉位置と前記綴込み用紙を開放する開位置との間で前記複数の綴込みリングの移動操作を行うための操作部とを有し、
前記操作部に、前記補助取付け部として穴部を形成したことを特徴とする請求項３記載のシステム手帳。
【請求項５】
前記脱落防止手段は、前記栞に対して塗布または形成される摩擦材料、或は摩擦材料からなる前記栞を含むことを特徴とする請求項１から４の何れか１項記載のシステム手帳。
【請求項６】
前記綴込み用紙は、
製本出版された書籍の原本或は手帳に対する背表紙部の裁断加工と前記綴じ穴の穴あけ加工とを施すことにより構成した第１書籍綴込み用紙或は手帳綴込み用紙、
または、前記綴じ穴を有し且つ夫々１枚ずつ独立した綴込み用紙であって、通常の製本過程のような背表紙部の綴じ付け行程が省略され、当該綴込み用紙における所定サイズの書籍として印刷された第２書籍綴込み用紙を含むことを特徴とする請求項１から５の何れか１項記載のシステム手帳。
【請求項７】
前記綴込み用紙は、Ａ６サイズの大きさであることを特徴とする請求項１から６の何れか１項記載のシステム手帳。
【請求項８】
複数の綴込みリングを有する綴じ具を本体カバーに備え、一辺部に複数の綴じ穴が形成された綴込み用紙を、前記綴じ穴に前記綴込みリングを挿通することにより前記本体カバーに綴じ込むシステム手帳であって、
前記綴込み用紙の頁間に挟み込まれる目印として用いられる栞と、
一辺部に前記複数の綴じ穴を有し、前記綴じ具により前記綴込み用紙と共に前記本体カバーに綴じ込まれて当該綴込み用紙を仕切るシート状の仕切シートとを備え、
前記栞を、前記綴込み用紙の頁間に位置させて当該綴込み用紙から脱落しないように保持する脱落防止手段として、当該栞の一端部に前記綴込みリング或は前記綴じ具に対して着脱可能に取り付けられる装着部を設け、当該栞の他端部が前記仕切シートに取り付けられる構成としたことを特徴とするシステム手帳。
【請求項９】
複数の綴込みリングを有する綴じ具を本体カバーに備え、一辺部に複数の綴じ穴が形成された綴込み用紙を、前記綴じ穴に前記綴込みリングを挿通することにより前記本体カバーに綴じ込むシステム手帳であって、
前記綴込み用紙の頁間に挟み込まれる目印として用いられる栞と、
一辺部に前記複数の綴じ穴を有し、前記綴じ具により前記綴込み用紙と共に前記本体カバーに綴じ込まれて当該綴込み用紙を仕切るシート状の仕切シートとを備え、
前記栞の一端部に前記綴込みリング或は前記綴じ具に対して着脱可能に取り付けられる装着部を設け、
前記栞を、前記綴込み用紙の頁間に位置させて当該綴込み用紙から脱落しないように保持する脱落防止手段として、前記仕切シートに、前記栞における前記装着部とは反対側の他端部を保持する保持部を設け、前記栞の途中部が前記仕切シートの縁部を経由し、前記他端部が前記保持部に対して保持解除可能に保持されるように構成したことを特徴とするシステム手帳。
【請求項１０】
複数の綴込みリングを有する綴じ具を本体カバーに備え、一辺部に複数の綴じ穴が形成された綴込み用紙を、前記綴じ穴に前記綴込みリングを挿通することにより前記本体カバーに綴じ込むシステム手帳であって、
前記綴込み用紙の頁間に挟み込まれる目印として用いられる栞を備え、
前記栞の一端部に前記綴込みリング或は前記綴じ具に対して着脱可能に取り付けられる装着部を設け、
前記栞を、前記綴込み用紙の頁間に位置させて当該綴込み用紙から脱落しないように保持する脱落防止手段として、前記本体カバーに、前記栞における前記装着部とは反対側の他端部を保持する保持部を設け、前記栞の途中部が前記本体カバーの縁部を経由し、前記他端部が前記保持部に対して保持解除可能に保持されるように構成したことを特徴とするシステム手帳。
【請求項１１】
前記栞の他端部及び前記保持部は面状ファスナーからなることを特徴とする請求項９または１０記載のシステム手帳。
【請求項１２】
複数の綴込みリングを有する綴じ具を本体カバーに備え、一辺部に複数の綴じ穴が形成された綴込み用紙を、前記綴じ穴に前記綴込みリングを挿通することにより前記本体カバーに綴じ込むシステム手帳であって、
前記綴込み用紙の頁間に挟み込まれる目印として用いられる栞と、
前記栞を、前記綴込み用紙の頁間に位置させて当該綴込み用紙から脱落しないように保持する脱落防止手段として、前記綴込み用紙に塗布された摩擦材料とを備え、
前記摩擦材料は、前記栞と前記綴込み用紙との間に摩擦力を発生させることを特徴とするシステム手帳。
【請求項１３】
一辺部に複数の綴じ穴が形成された綴込み用紙を、前記綴じ穴に夫々挿通される複数の綴込みリングを有する綴じ具により本体カバーに綴じ込むシステム手帳に用いられる栞であって、
前記栞は、
前記綴込み用紙の頁間に挟み込まれる目印として用いられる長尺な紐状をなし、
前記綴込み用紙の頁間において、前記栞を当該綴込み用紙から脱落しないように保持する脱落防止手段として、当該栞の途中部に位置して前記綴じ具と係合することにより当該栞の移動を阻止する干渉部を備え、その干渉部を平板状に形成したことを特徴とする栞。
【請求項１４】
一辺部に複数の綴じ穴が形成され、前記綴じ穴に夫々挿通される複数の綴込みリングを有する綴じ具によりシステム手帳の本体カバーに綴じ込まれる綴込み用紙であって、
前記綴込み用紙の頁間に挟み込まれる目印として用いられる栞を、当該綴込み用紙から脱落しないように保持する脱落防止手段として、前記綴込み用紙に塗布された摩擦材料を備え、
前記摩擦材料は、前記栞と前記綴込み用紙との間に摩擦力を発生させることを特徴とする綴込み用紙。
【発明の詳細な説明】
【技術分野】
【０００１】
本発明は、綴じ具を有する本体カバーを備えたシステム手帳、及び綴込み用紙の頁間に挟まれる目印としての栞に関する。
【背景技術】
【０００２】
従来より、システム手帳では、所謂リフィルとして、メモ欄、アドレス欄、或はカレンダーが印刷された用紙等、各種の綴込み用紙が用意されており、それら綴込み用紙を綴込みリングによって本体カバーに綴じ込むようになっている。このように、複数（多数）のリフィルの綴じ込みが可能なシステム手帳にあっては、目的の頁を探して開くのに手間がかかる場合がある。
【０００３】
そこで、リフィルの頁間に挟まれる目印として、システム手帳に栞を用いることが考えられる。即ち、例えば特許文献１には、書籍等とは別体の薄板状をなす栞片が開示されており、当該栞片について、「コ」字状の切欠きが形成された取付け部をリフィルの上縁部に差し込み、取付け部と一体の帯状弾力板における先端のべロを所望の頁に挟むことでシステム手帳に適用するのである。
【先行技術文献】
【特許文献】
【０００４】
【特許文献１】実開平６−８３３６３号公報
【発明の概要】
【発明が解決しようとする課題】
【０００５】
ところが、特許文献１の栞片は、リフィルに差込んだ状態でシステム手帳の縁部からはみ出すため、持ち運ぶ際に外れて紛失する虞があり、又、システム手帳とは別体の栞片を用意しなければならず、面倒である。
【０００６】
これらの問題は、例えば短冊状をなす紙製の栞や紐状の栞等、従来の一般的な栞をシステム手帳に用いた場合にも当然に内在することとなる。また、システム手帳は、複数の用紙を綴じ側縁部にて一体に接着した通常の書籍と異なり、複数のリフィルが１枚ずつ独立した用紙としてファイルされている。このため、紐状の栞を用いた場合、その栞の途中部が、リフィルの頁間において綴じ込み側の隙間に落ち込んで、当該リフィルの綴じ込み側の角（かど）部に引っ掛かる虞がある等、栞の適用に際し解決すべき特有の課題が存在する。
【０００７】
本発明は上記事情に鑑みてなされたものであり、その目的は、綴込み用紙に対する栞の脱落や引っ掛かりを防止することができる使い勝手のよいシステム手帳、及び栞を提供することである。
【課題を解決するための手段】
【０００８】
上記した目的を達成するために、本発明のシステム手帳は、複数の綴込みリングを有する綴じ具を本体カバーに備え、一辺部に複数の綴じ穴が形成された綴込み用紙を、前記綴じ穴に前記綴込みリングを挿通することにより前記本体カバーに綴じ込むものであり、前記綴込み用紙の頁間に挟み込まれる目印として用いられる長尺な紐状の栞と、前記栞を、前記綴込み用紙の頁間に位置させて当該綴込み用紙から脱落しないように保持する脱落防止手段として、前記栞の途中部に位置して前記綴じ具と係合することにより当該栞の移動を阻止する干渉部とを備え、前記干渉部を平板状に形成したことを特徴とする。
【０００９】
本発明の綴込み用紙は、一辺部に複数の綴じ穴が形成され、前記綴じ穴に夫々挿通される複数の綴込みリングを有する綴じ具によりシステム手帳の本体カバーに綴じ込まれるものであり、前記綴込み用紙の頁間に挟み込まれる目印として用いられる栞を、当該綴込み用紙から脱落しないように保持する脱落防止手段として、前記綴込み用紙に塗布された摩擦材料を備え、前記摩擦材料は、前記栞と前記綴込み用紙との間に摩擦力を発生させることを特徴とする。
【００１０】
また、本発明の栞は、一辺部に複数の綴じ穴が形成された綴込み用紙を、前記綴じ穴に夫々挿通される複数の綴込みリングを有する綴じ具により本体カバーに綴じ込むシステム手帳に用いられるものであって、前記綴込み用紙の頁間に挟み込まれる目印として用いられる長尺な紐状をなし、前記綴込み用紙の頁間において、前記栞を当該綴込み用紙から脱落しないように保持する脱落防止手段として、当該栞の途中部に位置して前記綴じ具と係合することにより当該栞の移動を阻止する干渉部を備え、その干渉部を平板状に形成したことを特徴とする。
【発明の効果】
【００１１】
本発明のシステム手帳、及び栞によれば、綴込み用紙の頁間に配された栞は、脱落防止手段により保持されるため、綴込み用紙からの脱落や綴込み用紙の角部に対する栞の引っ掛かりを防止することができ、当該栞を用いて目的の頁を即座に開くことができる。また、脱落防止手段によって、栞の紛失や飛散を防止することができ、総じて使い勝手のよいものとすることができる。
【図面の簡単な説明】
【００１２】
【図１】本発明の第１実施形態のシステム手帳を、綴込み用紙及び栞と共に示す全体の斜視図
【図２】栞の全体図
【図３】書籍綴込み用紙の拡大図
【図４】書籍綴込み用紙に対して、インデックスシート、広告綴込み用紙及び書評綴込み用紙を付した書籍の一例を示す斜視図
【図５】（ａ）及び（ｂ）は、書籍の原本に対する裁断加工と穴あけ加工を施すことにより構成した第１書籍綴込み用紙の表側及び下側からの概略図
【図６】製本システムの概略構成を示すブロック図
【図７】ディスプレイに表示されたホームページの入口画面を示す図
【図８】サーバの構成を示すブロック図
【図９】会員登録処理の流れを示すフローチャート
【図１０】広告登録処理の流れを示すフローチャート
【図１１】書籍購入時の受発注処理の流れを示すフローチャート
【図１２】選択した書籍について各種の指定を行うための入力画面を示す図
【図１３】受発注に基づくサーバの処理の流れを示すフローチャート
【図１４】第１書籍綴込み用紙を制作する場合における処理の流れを示すフローチャート
【図１５】包装箱の表紙、裏表紙及び背表紙を示す全体図
【図１６】第２書籍綴込み用紙を制作する場合における処理の流れを示すフローチャート
【図１７】注釈登録処理の流れを示すフローチャート
【図１８】書籍の語句に対する注釈を入力するための入力画面を示す図
【図１９】書評登録処理の流れを示すフローチャート
【図２０】本発明の第２実施形態を示す図１３相当図
【図２１】本発明の第３実施形態を示すもので、（ａ）及び（ｂ）は栞の全体図、（ｃ）はシステム手帳を閉じた状態での下側面図
【図２２】本発明の第４実施形態を示すもので、（ａ）〜（ｃ）は栞が設けられるインデックスシートを例示した図
【図２３】本発明の第５実施形態のシステム手帳について綴込み用紙を省略して示す概略図
【図２４】本発明の第６実施形態を示すもので、綴じ具の上側における操作部近傍部の拡大図
【図２５】本発明の第７実施形態を示すもので、綴じ具の下側における操作部近傍部の拡大図
【図２６】本発明の第８実施形態を示す図２３相当図
【図２７】本発明の第９実施形態を示す図２３相当図
【図２８】本発明の第１０実施形態を示す図１５相当図
【図２９】本発明の第１１実施形態を示すもので、インデックスシートに栞を一体に設けた一例を示す図
【図３０】本発明の第１２実施形態を示す図１相当図
【図３１】切欠部近傍部を拡大して示すもので、（ａ）はシステム手帳を開いた状態での正面図、（ｂ）はシステム手帳を閉じた状態での下側面図
【図３２】本発明の第１３実施形態を示すもので、綴込み用紙の角部部分の拡大図
【発明を実施するための形態】
【００１３】
＜第１実施形態＞
以下、本発明の第１実施形態について、［１．システム手帳］［２．書籍］［３．作用効果］の順に図１〜図１９を参照しながら説明する。
［１．システム手帳］
図１に示すように、システム手帳１は、表表紙２ａ、背表紙２ｂ及び裏表紙２ｃを有する本体カバー２と、この背表紙２ｂの内面側に設けられた金属製の綴じ具３とを備え、綴じ具３により綴込み用紙５を綴じ込むと共に、当該綴込み用紙５の頁間に挟み込まれる目印として栞６を用いる構成とされている。綴じ具３は、背表紙２ｂに沿って上下に延びるように取付け固定されるベース７と、このベース７の上下両端部に配置された一対の操作部８と、ベース７に対して揺動可能に支持され且つ上下方向に列をなす複数（例えば６つ）の綴込みリング９と、ベース７の上端部に設けられた補助リング１０とを有する。
【００１４】
綴込みリング９は、例えば一対のリング片９ａ，９ｂからなり、前記操作部８の押圧操作により、それらの先端部に夫々形成された係合部９ｃが互いに係脱する閉位置（図１参照）と開位置（図示せず）との間で揺動する。この綴込みリング９は、例えば綴じ穴に係る規格に合わせて図１中、Ｌ０で示す所定間隔（１９ｍｍのピッチ間隔）で６箇所に配置された既存の６穴式のファイル用リングの配置形態にある。
【００１５】
補助リング１０は、綴込み用紙５上縁部の直ぐ上側に配置され、前記栞６のシステム手帳１に対する補助取付け部として機能する。この補助リング１０は、例えば、綴込みリング９と同様に金属製の一対のリング片１０ａ，１０ｂからなり、操作部８の操作により、それらの先端部に夫々形成された係合部１０ｃが互いに係脱する閉位置（図１参照）と開位置（図示せず）との間で揺動する。
【００１６】
本実施形態のシステム手帳１は、これまで市場には無い、例えばＡ６サイズの綴込み用紙５のファイルに適合するように構成されており、本体カバー２の表表紙２ａ及び裏表紙２ｃはＡ６サイズと略等しく（乃至Ａ６サイズより若干大きく）、背表紙２ｂは一般的な文庫本の背表紙部のサイズよりも幅広な寸法に設定されている。
【００１７】
綴込み用紙５は、上記のようにリフィルとして市場に無い１４８ｍｍ×１０５ｍｍのＡ６サイズ（図１中、縦Ｌ１×横Ｌ２）にあって、既存の綴じ具による綴じ込みが可能である。即ち、綴込み用紙５は、その一辺部において綴込みリング９に夫々挿通される複数（例えば６つ）の綴じ穴１１が前記のピッチ間隔で列をなすように形成され、当該綴じ穴１１に綴込みリング９が挿通されることにより本体カバー２に綴じ込まれる。綴じ穴１１は所謂競技トラックの形状（図３参照）であって、角丸長方形状（長円形状）をなす。この綴じ穴１１は、綴込みリング９が挿通された綴込み状態における、当該綴込みリング９に対する綴込み用紙５の横方向（図１の矢印Ｄ１参照）への相対的な移動を許容する寸法に設定されている。従って、前記綴込み状態の綴込み用紙５を、本体カバー２の開き側縁部からはみ出さないよう背表紙２ｂ内面側へ移動させることができることから、本体カバー２における表表紙２ａ及び裏表紙２ｃの横方向寸法をＡ６サイズと略同じ寸法に設定することができる。
【００１８】
上記のように、システム手帳１は、複数の用紙を綴合せ部にて一体に接着した通常の書籍と異なり、綴込み用紙５が１枚ずつ独立した用紙としてファイルされている。このため、紐状の栞を単にシステム手帳に適用した場合、当該栞の途中部が、綴込み用紙の頁間において綴じ込み側（図３１（ａ）中、左側の斜線部分参照。つまり綴込み用紙５の綴じ込み側縁部よりも背表紙２ｂ側）に落ち込んで、綴込み用紙の角部（図３１（ａ）中、符号Ｐ０参照）に引っ掛かる虞がある。
【００１９】
そこで、本実施形態のシステム手帳１は、栞６の脱落を防止するための脱落防止手段として栞６の途中部６ａに干渉板１６を備えている。具体的には、図２に例示するように、前記栞６は、例えば、全体として長尺状をなす紐状部１２と、この紐状部１２の一端部に設けられた装着部１３と、紐状部１２の他端部に設けられた装飾部１５と、栞６の途中部６ａに設けられた干渉板１６とを備えている。
【００２０】
紐状部１２は、例えば、繊維材料からなり、綴込み用紙５の縦寸法（１４８ｍｍ）よりも長尺な寸法に設定されている。装着部１３は、例えば、金属材料からなり、補助リング１０や綴込みリング９が貫通可能な穴部１３ａを有し、全体として小径円板状をなす。栞６は、前記操作部８の操作により、装着部１３において補助リング１０或は綴込みリング９に対して着脱可能に装着される。ここで、補助リング１０或は綴込みリング９に装着された装着部１３は、小径円板状をなすことから、システム手帳１にて嵩張ることはなく、且つリング９，１０の閉位置で外れないようになっている。尚、装着部１３は、前記円板状の他、線材をリング状に巻回して形成した円環部（図示せず）でもよく、何れの構成も比較的安価で簡単なものとすることができる。
【００２１】
装飾部１５は、例えば合成樹脂材料からなり、干渉板１６よりも小さな寸法形状（例えば矩形薄板状）をなす。この装飾部１５（摘み部）は、栞６の他端部（当該装飾部１５）をしっかりと摘んで把持することができると共に、栞６の外観意匠性を高めることができる。そして、干渉板１６（干渉部）は、例えば合成樹脂材料から比較的薄型の円板状に形成されており、栞６の他端たる装飾部１５寄りの位置に配置されている。この干渉板１６は、当該干渉板１６を左右に２分し且つ紐状部１２に沿う中心線Ｓ２を対称軸をとして、左右対称の形状をなしている。栞６においては、装着部１３を補助リング１０に装着し且つ紐状部１２が綴込みリング９の配列に沿って上下に延びた状態で、干渉板１６が例えば最下部の綴込みリング９と係合するように配設されている。これにより、栞６は、綴込み用紙５の頁間において、干渉板１６と綴込みリング９の係合により綴じ込み側への移動が阻止されるため、綴じ込み側へ落ち込まないようになっている。また、干渉板１６は前記のように対称的に形成されているため、干渉板１６の表裏が反転してもその干渉板１６と綴込みリング９を同様に係合させることができ、脱落防止手段として機能させることができる。尚、栞６において、紐状部１２、装着部１３、装飾部１５及び干渉板１６の材料や形状は適宜変更することができ、例えば、夫々の部位１２〜１６において、合成樹脂材料、金属材料、繊維材料等の材料のうちから適宜の材料を選択的に使用してもよい。
【００２２】
［２．書籍］
本実施形態のシステム手帳１は、上記のようにＡ６サイズつまり文庫判サイズであって、綴込み用紙５の他、以下の書籍２１について夫々１枚ずつ独立した綴込み用紙２２として所有者により必要な頁のみを綴じ込んで分冊できるようになっている。
【００２３】
即ち、書籍２１は、当該書籍の本文内容２１ａ（図３参照）が記載された複数の第１書籍綴込み用紙２２ａ（或は複数の第２書籍綴込み用紙２２ｂ）と、その書籍綴込み用紙２２ａ或は２２ｂに対して見出しや指標となるように仕切るインデックスシート２２１〜２２５（図４参照）と、広告を掲載した広告綴込み用紙２９と、書評を記載した書評綴込み用紙３０を含む。ここで図４は、例えば、第１章〜第５章からなる複数の第１書籍綴込み用紙２２ａ（或は第２書籍綴込み用紙２２ｂ）に対して、各章の前と後とに夫々５つのインデックスシート２２１〜２２５と５つの広告綴込み用紙２９〜２９とを付し、巻末に書評綴込み用紙３０を付した書籍２１の一例を示している。詳しくは後述するように、複数の第１書籍綴込み用紙２２ａは、既に製本出版された原本２１´（図５参照）に対する背表紙部の裁断加工を施すことにより構成される一方、複数の第２書籍綴込み用紙２２ｂは、通常の製本過程のような背表紙部の綴じ付け行程は省略され、当初から分冊が可能な書籍２１を構成するように印刷製本される。また、これら書籍綴込み用紙２２ａ或は２２ｂ、インデックスシート２２１〜２２５、広告綴込み用紙２９、書評綴込み用紙３０（以下、これら用紙２２ａ（或は２２ｂ），２９，３０，２２１〜２２５を総称する際、綴込み用紙２２と記す）は、例えば、何れも略文庫判サイズにあって前記綴じ穴１１が形成され、以って分冊加工が施された書籍２１を構成する。
【００２４】
この書籍２１を製本するための製本システム（詳細には製本販売システム）について、図６〜図１９も参照しながら説明する。尚、書籍２１に係る印刷や加工等は、予め著作者の許諾を得る等して適法に行われるものとする。
【００２５】
先ず、図６に示すように、製本システムは、例えば、インターネット等の通信ネットワーク２３（情報通信網）を中心にして構成され、この通信ネットワーク２３に、書籍２１を発注する購入希望者（発注者）が取り扱う発注者用端末２４、書籍２１に係る発注を受けて当該受発注を管理する管理者（受注者）が取り扱う管理者用端末（サーバ２５）、加工業者が取り扱う加工業者用端末２６、取次業者が取り扱う取次業者用端末２７、広告掲載希望者（広告主）が取り扱う広告希望者用端末２８が接続されている。
【００２６】
発注者用端末２４は、家庭に設置されたパソコンや携帯電話等の購入希望者用の端末であって、通信ネットワーク２３を経由してサーバ２５のホームページにアクセス可能となっている。購入希望者は、そのホームページの入口画面（図７参照）の「書籍購入」を選択して書籍を検索することができ、購入を希望する書籍２１が存在した場合、発注指示を行うことができる。
【００２７】
サーバ２５は、例えば受注センター２５Ａに設置され、通信ネットワーク２３を経由して各端末２４，２６，２７，２８との間で相互にデータの授受が可能に構成されると共に書籍２１の発注から発送までの情報を一元管理する。図８に示すように、サーバ２５は、ＣＰＵ３１ａや図示しないＲＯＭ、ＲＡＭ等を含み、マイクロコンピュータを主体に構成された制御手段たる制御装置３１を備える。この制御装置３１は、通信制御部３２を介して通信ネットワーク２３に接続されると共に、記憶装置３３、操作手段としてのキーボード３４ａやマウス３４ｂ、表示手段としてのディスプレイ３５ａ、プリンタ３５ｂ等が接続されている。記憶装置３３は、半導体メモリやハードディスク等から構成され、ソフトウェア、データを蓄積するデータベース手段として機能する。この記憶装置３３には、書籍情報として書籍名、著者名、出版社名、ＩＳＢＮコード、単価等が記憶されると共に、後述する画像データ、広告データ、注釈データ、書評データ、書籍２１の在庫情報等が記憶されている。
【００２８】
加工業者用端末２６は、加工／印刷会社２６Ａに設置され、当該会社２６Ａにおける原本２１´と書籍２１の夫々の在庫情報を、通信ネットワーク２３を経由してサーバ２５に送信し、サーバ２５は、送信されてきた在庫情報をデータベースに蓄積する。加工／印刷会社２６Ａには、例えば版を用いず１冊ずつ印刷する方式で印刷を施す印刷機３６と、前記分冊加工を施すための加工機３７と、各種の情報コードを読取る読取り装置３８とが設置されている。加工業者用端末２６は、通信ネットワーク２３を経由して書籍２１の発注に係る情報（後述する発注情報）を受信し、印刷機３６や加工機３７に当該発注情報を送信する。こうして、印刷機３６及び加工機３７は、その受信した情報に基づき、各種の印刷や加工を含む一連の処理を自動的に行うようになっており、加工業者用端末２６、読取り装置３８等と共に本発明の製本手段として印刷／加工システムを構成する。
【００２９】
前記印刷機３６（印刷手段）としては、例えば、文字、２次元コード、写真その他の情報等を印刷可能で、比較的高速且つ大量印刷向けのデジタル印刷機が用いられている。印刷／加工システムでは、文庫判サイズでない書籍や絶版となった文庫本等、文庫本として市販されていない書籍を加工機３７により１枚ずつ切り離し、図示しないスキャナ（画像データ取得手段）によって当該書籍の内容が１頁ずつ撮像されると共に、当該書籍の表表紙、背表紙及び裏表紙の内容が撮像される。また、前記スキャナによって、文庫本たる原本２１´についても表表紙、背表紙及び裏表紙の内容が撮像される。これらの撮像により得られた画像データは、サーバ２５のデータベース（端末２６等が有する記憶手段（データベース）でもよい）に蓄積されるようになっている。読取り手段たる読取り装置３８は、コードリーダ等の情報媒体であって、加工業者用端末２６との間で無線通信、或は通信回線を介した通信を行う。
【００３０】
取次業者用端末２７は、書籍取次会社２７Ａに設置され、通信ネットワーク２３を経由して、原本２１´を含む各種書籍の加工／印刷会社２６Ａへの配送を受け付ける。詳しくは後述するように、サーバ２５は、例えば前記在庫情報に基づきその在庫が購入希望者の注文数より少ない場合に取次業者用端末２７に配送を指示するようになっており、書籍取次会社２７Ａ側では、当該配送の指示を受けて加工／印刷会社２６Ａへ原本２１´を配送する。
【００３１】
広告希望者用端末２８は、通信ネットワーク２３を経由してサーバ２５に対して広告データの送信が行えるようになっている。広告は、書籍２１を制作するにあたって予めカテゴリー毎に募集されており、書籍２１に掲載広告するための広告原稿（広告データ）を種々の広告希望者から提供を受けている。尚、広告希望者が書籍２１を購入する等、広告希望者と購入希望者とが同一人になる場合が想定されるが、このような場合には、１台の端末が広告希望者用端末２８及び発注者用端末２４として機能する。また、これら端末２４，２８は、書籍２１に対する情報を提供するための情報提供者端末として、サーバ２５に対する前記注釈データや書評データの送信が行えるようになっている。尚、各端末２４，２６，２７，２８は、夫々例えばキーボード、マウス、ディスプレイ、プリンタ、記憶装置等が接続された制御装置を有するパソコンを用いることができる。
【００３２】
ここで、図７は、発注者用端末２４や広告希望者用端末２８を操作し、通信ネットワーク２３を通じてサーバ２５のホームページにアクセスした場合の入口画面を示している。以下、この入口画面に表示された「ａ．会員登録」「ｂ．広告送信」「ｃ．書籍購入」「ｄ．注釈送信」「ｅ．書評送信」における夫々の具体的な処理の流れについて説明する。
【００３３】
［ａ．会員登録］
会員登録は、図９に示すフローチャートに従って、発注者用端末２４とサーバ２５との間でのやり取り、或は広告希望者用端末２８とサーバ２５との間でのやり取りにより夫々行われる。何れにしても、書籍２１を購入したり書籍２１に広告等を掲載したりするには、予め会員登録を行って会員番号を取得する必要があることから、端末の符号として「２４，２８」を付して一括して説明する。
【００３４】
先ず、前述のように端末２４，２８の操作によりサーバ２５のホームページにアクセスし、端末２４，２８側に前記入口画面を表示させる（ステップＳ１）。そして、この入口画面で「会員登録」を選択することにより、会員登録画面（図示せず）を表示させる（ステップＳ２，Ｓ３）。この会員登録画面において、氏名や住所等、会員に関する必要なデータを入力すると共に、電子メールのアドレス、年齢、性別等を入力してサーバ２５に送信する（ステップＳ４）。サーバ２５では、送信されたデータのチェックを行った後、会員番号を生成して（ステップＳ５）当該会員登録希望者を会員として会員データベースに登録し（ステップＳ６）、端末２４，２８側に当該会員番号を表示して（ステップＳ７）、会員登録処理を終了する。
【００３５】
［ｂ．広告送信］
広告の登録は、図１０に示すフローチャートに従って処理を実行することにより行われ、この場合には、広告希望者用端末２８とサーバ２５との間でやり取りされる。即ち、広告希望者は、端末２８からサーバ２５のホームページにアクセスして前記入口画面を表示させ（ステップＳ１１）、この入口画面で「広告送信」を選択することにより（ステップＳ１２）、会員番号入力画面（図示せず）を表示させる。この会員番号入力画面において、広告希望者により会員番号及びパスワードが入力されると（ステップＳ１３）、サーバ２５は、その会員番号とパスワードの照合を行う（ステップＳ１４）。ここで、サーバ２５は、照合結果が一致せず会員でないと判断した場合には、登録データと異なる旨を端末２８に表示して、前記［会員登録］の処理（ステップＳ１５）、或は再度の入力を求める（ステップＳ１３に戻る）。一方、照合結果が一致した場合には、広告希望者用端末２８側に対して広告の提供条件を入力するための入力画面（図示せず）を表示させる。
【００３６】
先ず、書籍２１に係るカテゴリー、つまり広告を希望する対象として、書籍名を具体的に選定することができる他、著者者別、書籍分類別（例えば文学、歴史、経済、科学、…）等を選択することができる（ステップＳ１６）。これらの項目（大分類）を選択して入力し、詳細な条件入力項目がある場合には、選択した項目内でのさらなる条件（小分類）を選択したり入力したりする。例えば、前記入力画面に大分類として表示された前記文学、歴史、経済、科学等のうち、文学の選択欄をチェックした場合、小分類として表示された小説、エッセイ、詩歌等のうち、その選択欄をチェックすることで、広告の希望対象を絞ることができる。また、ステップＳ１６では、例えば書籍２１の購読者の年齢、性別、住所等の属性等、購読者に係るカテゴリーも選定することができる。
【００３７】
次いで、広告内容に係るカテゴリー、つまり広告そのものの分野として、物品分類別（例えば書籍、家電製品、衣類等）や、役務分類別（商業、通信、運輸等）といった各種の分類を選定する（ステップＳ１７）。ここで、例えば、大分類として書籍（雑誌たる定期刊行物を含む）を選択した場合、小分類として週刊誌、月刊誌、季刊誌等を選定することができる。そして、広告は、前記広告綴込み用紙２９として、書籍２１（複数の第１或は第２書籍綴込み用紙２２ｂ）の頁間に挿入されることで掲載されることから、書籍２１における掲載頁や位置等の広告条件を入力することができる（ステップＳ１８）。具体的には、広告綴込み用紙２９の挿入頁を書籍２１の巻頭側や巻末側に指定したり、広告綴込み用紙２９における占有範囲を１／２頁、或は左右２頁が向き合う見開きにする旨等を指定する。また、ステップＳ１８では、申込者たる広告希望者が広告金額を設定入力すると共に、広告の掲載期間や、その他の広告提供条件を入力する。一方、サーバ２５は、受付期間を定期的に設定しており、入力された広告提供条件に基づき、その希望する掲載期間が受付期間内であると判断した場合には（ステップＳ１９にてＹｅｓ）、ステップＳ２０に移行する。これに対し、例えば月刊誌の広告として所定の受付期間を徒過していると判断した場合（ステップＳ１９にてＮｏ）、その旨を端末２７に表示し、再度の広告掲載期間の入力を求める。尚、本実施形態における広告綴込み用紙２９の印刷は、前記受付期間に受け付けられた広告について行われるが、ステップＳ１７、Ｓ１９は必須ではない。
【００３８】
ステップＳ２０では、印刷すべき広告の原稿である広告データファイルを入力して添付し、入力したデータを送信する（ステップＳ２１）。サーバ２５側では、受信したデータの内容をチェックすると共にその広告データの広告金額に応じた順位付けを行い、データベースに登録して広告の登録処理を終了する（ステップＳ２２，Ｓ２３）。
【００３９】
［ｃ．書籍購入］
書籍の購入について、書籍２１に係る受発注［ｃ−１］と、その買い求めに応じて行われる書籍２１の制作及び発送［ｃ−２］とに分けて説明する。
【００４０】
［ｃ−１］書籍２１の受発注
書籍２１の受発注は、図１１に示すフローチャートに従って処理を実行することにより行われ、この場合には発注者用端末２４とサーバ２５との間でやり取りされる。先ず、購入希望者は、端末２４からサーバ２５のホームページにアクセスして前記入口画面を表示させ（ステップＳ３１）、この入口画面で「書籍購入」を選択する（ステップＳ３２）。そして、ステップＳ３３〜Ｓ３５では、前記ステップＳ１３〜Ｓ１５と同様の会員番号及びパスワードの入力処理が行われる。ここで、サーバ２５による会員番号及びパスワードの照合結果が一致した場合には（ステップＳ３４にてＹｅｓ）、発注者用端末２４側に対して書籍２１の検索や指定を行うための入力画面（図示せず）を表示させる。この入力画面において、サーバ２５のデータベースに記憶された前記書籍情報を検索して、所望の書籍２１を選択すると共に、受領希望日時がある場合にはその日時を入力する（ステップＳ３６）。この入力に基づき、サーバ２５は、選択された書籍２１に係る各種の指定を行うための画面（図１２参照）を発注者用端末２４側に表示させる（ステップＳ３７）。
【００４１】
この画面では、選択した書籍２１の書籍名、著作者名、定価、合計金額等が表示され、発注単位、発注冊数、広告印刷、注釈印刷、書評印刷等の発注情報を選択して入力する（ステップＳ３８）。具体的には、例えば第１章〜第５章からなる書籍２１の場合、所望の章のみを選択して、その章単位（書籍２１の一部）における発注冊数の指定が可能とされる。また、サーバ２５は、書籍２１が前記広告のカテゴリーに属し、広告の対象として前記の登録がなされている場合、広告データの順位付けや掲載期間、前記受領希望日時等に基づいて、該当する広告のリスト（図１２参照）を端末２４側に表示させる。この図１２に示す広告のリストのうち、各表題を選択することにより、書籍２１の購入に係る値引きがなされ、書籍２１にその選択された広告の綴込み用紙２９が付されるようになっている。また、サーバ２５は、書籍２１が後述する注釈印刷の対象とされている場合、該当する注釈のカテゴリー（例えば文学、経済、法律、工学等。図１２参照）を端末２４側に表示させる。この図１２に示すカテゴリーのうち、注釈を希望するカテゴリーを選択することにより、選択されたカテゴリーの注釈（図３中、符号４３ａ参照）が、第１書籍綴込み用紙２２ａ（或は第２書籍綴込み用紙２２ｂ）に対して付されるようになっている。更に、書籍２１が後述する書評印刷の対象とされている場合、図１２に示す「書評印刷」を選択することにより、例えば書籍２１の巻末に書評綴込み用紙３０が付されるようになっている。つまり、広告印刷、注釈印刷、書評印刷は、書籍２１に対する追加的情報として、発注者用端末２４からの要求に応じて追加的に印刷されることとなる。
【００４２】
サーバ２５側では、発注された書籍２１に係るシリアルナンバーを付与し、上記した書籍２１の発注情報（前記書籍情報、発注単位や冊数等の指定情報、郵便番号／住所／氏名／受領希望日時等の発注者情報、画像データ、広告データ、注釈データ、書評データ等を含む情報）と関連付けて登録して書籍２１の受発注処理を終了する（ステップＳ３９）。また、サーバ２５では、上記した書籍２１の一部の発注（つまり分割販売）において製本や在庫の無駄をなくすべく、原本２１´の在庫情報につき書籍ごとに発注単位（前記の章単位の他、具体的頁数でもよい）で記憶される。
【００４３】
［ｃ−２］書籍２１の制作及び発送
書籍２１の制作及び発送に際して、サーバ２５は、図１３に示すフローチャートに従って以下の処理を実行する。即ち、先ずサーバ２５は、上記受発注処理（ステップＳ４１：ステップＳ３１〜Ｓ３９）における前記発注情報と在庫情報とに基づき、加工／印刷会社２６Ａにおける綴込み用紙２２の在庫の有無を判断する。加工／印刷会社２６Ａの在庫で足りる場合には後述する購入希望者への発送処理を指示し（ステップＳ４８）、在庫が不足している場合には、発注された書籍２１が既に製本出版された原本２１´に対する加工により制作されるか否かを判断する（ステップＳ４３）。ここで、サーバ２５には、例えば予め書籍ごとに文庫本としての市販の有無が前記書籍情報と関連付けて登録されており、当該書籍が文庫本として市販されていない場合には、書籍２１を原本２１´によらずに第２書籍綴込み用紙２２ｂから制作するものと判断する（ステップＳ４３にてＮｏ）。そして、サーバ２５は、第２書籍綴込み用紙２２ｂの制作処理と当該制作処理後の書籍２１の発送処理を、通信ネットワーク２３を経由して加工業者用端末２６側に指示する（ステップＳ４７）。
【００４４】
他方、サーバ２５は、書籍２１が原本２１´に対する加工により制作される場合（ステップＳ４３にてＹｅｓ）、前記発注情報と在庫情報とに基づき加工／印刷会社２６Ａにおける当該原本２１´の在庫の有無を判断する（ステップＳ４４）。サーバ２５は、原本２１´の在庫が不足していると判断した場合（ステップＳ４４にてＮｏ）、加工／印刷会社２６Ａへ原本２１´を配送するための情報を、通信ネットワーク２３を経由して取次業者用端末２７側に送信する（ステップＳ４５）。この配送の指示情報は、原本２１´の書籍特定情報（例えばＩＳＢＮコード）や、原本２１´の不足ぶんの冊数を含み、取次業者は、この発送指示情報に基づき、加工／印刷会社２６Ａへ原本２１´を発送する。また、サーバ２５は、第１書籍綴込み用紙２２ａの制作処理と当該制作処理後の購入希望者への発送処理を、通信ネットワーク２３を経由して加工業者用端末２６側に指示する（ステップＳ４６）。
【００４５】
［ｃ−２−１］第１書籍綴込み用紙２２ａを含む書籍２１
図１４は、印刷／加工システムにおいて原本２１´から書籍２１を制作する場合における処理の流れを示すフローチャートである。同図に示すように、加工業者用端末２６は、サーバ２５から通信ネットワーク２３を経由して第１書籍綴込み用紙２２ａの制作に係る指示（発注情報）を受けると（ステップＳ５１）、当該発注情報を加工機３７及び印刷機３６に送信する。当該サーバ２５からの指示には、背表紙部の裁断加工や綴じ穴１１の穴あけ加工等の分冊加工に係る情報も含まれ、それらの受信情報に基づき印刷／加工システムにおいて以下の一連の処理（ステップＳ５２〜Ｓ５６）が行われる。
【００４６】
即ち、原本２１´に対する分冊加工として、加工機３７により、原本２１´の背表紙部分の裁断加工と、綴じ穴１１の穴あけ加工と、剥離処理とが自動的に実施される（ステップＳ５２，Ｓ５３）。ここで、図５（ａ）及び（ｂ）は、当該分冊加工により制作された複数の第１書籍綴込み用紙２２ａの正面図及び下側面図を示している。同図に示すように、裁断加工は、製本出版された原本２１´の背表紙に沿って、当該背表紙部分をその端面２１´ａから例えば２ｍｍの位置にて厚み方向に裁断することにより行われる。これにより、原本２１´から背表紙、表表紙、及び裏表紙（図５（ｂ）に２点鎖線で示す）が分離される。その余の部分、つまり本文内容２１ａが記載された頁の部分は、加工機３７により夫々独立した第１書籍綴込み用紙２２ａとして１枚ずつ剥離される。この剥離処理は、複数の第１書籍綴込み用紙２２ａが互いにくっつくような不具合を無くすと共に、第１書籍綴込み用紙２２ａに対する印字処理や、広告綴込み用紙２９等を挿入する際の処理を確実に行うために行われる。また、綴じ穴１１の穴あけ加工は、裁断した一辺部において前述した綴込み用紙５と同様のピッチ間隔で形成される。尚、裁断加工において、厚み方向（端面２１´ａ）に対し所定角度（図５（ｂ）中、符号α参照）傾斜するように背表紙部を裁断してもよい。この場合、斜めに裁断した複数の綴込み用紙２２ａを、裁断面側を背として紙面に対し垂直に揃えた状態で、綴じ穴１１を形成する。これにより、当該背に対向する小口面（図５（ｂ）中２１ｂ参照）が傾斜した書籍２１とすることができ、その開き側縁部において１枚ずつめくり易くなるので、目的の頁をより容易に開くことが可能となる。
【００４７】
ステップＳ５４では、前記剥離処理後の綴込み用紙２２ａに対する印刷、それら綴込み用紙２２ａの頁間に配置される広告綴込み用紙２９及び書評綴込み用紙３０に対する印刷、包装箱３９に対する印刷を含む各種の印刷処理が、印刷機３６等の印刷手段により施される。具体的には、図３に示すように、第１書籍綴込み用紙２２ａには、例えば、原本２１´に当初より通常のインクを用いて印字された算用数字の頁番号部分に略重なる位置に、ＩＳＢＮコードと前記頁番号とをコード化した第１情報コード４１が、透明インクを用いて印字される。この第１情報コード４１は、例えば二次元コードであって、光学的な情報を読み取り記憶する情報媒体（例えばカメラ付きの携帯電話）による読取りが可能になっている。また、第１情報コード４１は透明であるため、前記算用数字や本文内容２１ａに重なるように印刷されても目障りになることはない。尚、書籍２１の各頁に印刷した第１情報コード４１の情報としては、少なくとも前記頁番号を含むものであればよく、この頁番号と前記書籍情報の全部或は一部の情報を併せた情報でもよい。
【００４８】
前記発注の際、購入希望者により前記注釈印刷のカテゴリーが指定されている場合、該当するカテゴリーの注釈が注釈データに基づき印刷される。この場合、第１書籍綴込み用紙２２ａにおける本文内容２１ａ部分に、当該本文内容２１ａの語句乃至記述を囲う囲み線４３ｂ（図３参照。傍線や網掛でもよい）が印刷され、周縁部の余白部分（本文内容２１ａの外側縁部）に、注釈４３ａが印刷される。注釈４３ａの記述が第１書籍綴込み用紙２２ａの余白に収まらない場合等には、当該用紙２２ａと同じ寸法形状で且つ別紙として構成された注釈綴込み用紙（図示せず）にその注釈を印刷してもよい。また、購入希望者により前記広告印刷が許諾されている場合には、その広告データに基づき広告綴込み用紙２９に該当する広告が印刷され、前記書評印刷が選択されている場合には、その書評データに基づき書評綴込み用紙３０に書評が印刷される。前記インデックスシート２２１〜２２５は、例えば、厚紙（樹脂材料でもよい）からなる仕切シートであって、そのうち表紙側のシート２２１に、図４に示す書籍名や著者名等が印刷される。また、例えば、表紙側のシート２２１の周縁部には、前記シリアルナンバーをコード化した第２情報コード４２（図４中、二点鎖線参照）が、蛍光塗料により印刷される。この第２情報コード４２（例えばバーコード）は、光学的に情報を読取る前記読取り装置３８による読取りが可能で、自動的な仕分けや梱包等の用に供される。尚、表紙側のシート２２１は、前記裁断加工により分離した原本２１´の表表紙であってもよく、これによれば、当該表表紙をそのまま流用（活用）することができ、インデックスシート２２１への印刷を省略することができる等、製造コストを抑制することができる。この表紙側のシート２２１を含むインデックスシート２２１〜２２５に、後述する栞（図２２参照）を設けるようにしてもよい。
【００４９】
図１５に示すように、包装箱３９は、例えば、文庫判サイズの表表紙３９ａ、背表紙３９ｂ及び裏表紙３９ｃを有する１枚の矩形状の印刷用紙（例えば厚紙）からなる。この包装箱３９は、背表紙３９ｂの幅寸法が綴込み用紙２２の厚さに応じた寸法に設定され、綴込み用紙２２を収容する。例えば、この表表紙３９ａ及び背表紙３９ｂにおける夫々の表面には、書籍名、著者名等が印刷される。裏表紙３９ｃの表面には、発送先たる購入者の郵便番号、住所、氏名等の前記発注者情報、並びに当該発注者情報をコード化した発注コード４５が印刷される。発注コード４５は、例えば二次元コードであって、前記情報媒体による読取りが可能となっている。また、裏表紙３９ｃにおける表面の外周縁部には、前記インデックスシート２２１の第２情報コード４２と同じ第２情報コード４２が蛍光塗料により印刷される。更に、前記画像データに基づき、原本２１´の表表紙、背表紙及び裏表紙の内容が、包装箱３９の表表紙３９ａ、背表紙３９ｂ及び裏表紙３９ｃに対して印刷される。
【００５０】
ステップＳ５５では、例えば図４に示すように第１書籍綴込み用紙２２ａに対して、上記注釈綴込み用紙、広告綴込み用紙２９、書評綴込み用紙３０、インデックスシート２２１〜２２５が、追加的綴込み用紙として挿入（同梱）されることにより、これらの用紙２２ａ，２９，３０，２２１〜２２５が綴込み用紙２２として一体に扱われる。そして、箱詰め行程において、当該綴込み用紙２２表紙側のシート２２１の第２情報コード４２と、包装箱３９の第２情報コード４２とが読取り装置３８により読み込まれ、制御手段（例えば端末２６の制御装置）によって両コード４２，４２が一致したと判断された場合にのみ、当該箱詰めが許容される。この場合、綴込み用紙２２が包装箱３９に包装され、更に当該包装箱３９が、配達員、仕分け担当者等、物流を担当する者に見えるように透明な包装手段（例えば透明ビニールシート）により包装される。こうして、製造された書籍２１は、購入希望者の予め登録された住所に発送される（ステップＳ５６）。
【００５１】
［ｃ−２−２］第２書籍綴込み用紙２２ｂを含む書籍２１
図１６は、第２書籍綴込み用紙２２ｂを制作する場合における図１４相当図である。同図に示すように、加工業者用端末２６は、サーバ２５から通信ネットワーク２３を経由して第２書籍綴込み用紙２２ｂの制作に係る指示（発注情報）を受けると（ステップＳ６１）、当該発注情報を加工機３７及び印刷機３６に送信する。これにより、印刷／加工システムでは、その発注情報に基づき一連の処理（ステップＳ６２〜Ｓ６５）が行われる。
【００５２】
先ず、第２書籍綴込み用紙２２ｂを作制すべく、印刷機３６によって前記画像データに基づく本文内容２１ａが印刷される。つまり、このステップＳ６２以降の処理では、文庫本として市販されていない書籍について、当初から分冊可能な書籍２１を製本するために印刷を行うのであって、通常の製本過程のような背表紙部の綴じ付け行程は省略される。また、印刷機３６では、例えば、予め前記スキャナで読み取られたＡ５サイズの書籍（絶版となった書籍）の画像データは文庫判サイズに縮小され、印刷用紙の表裏両面に、前記の読み取り順を基に複数頁が夫々レイアウト（配列）されると共に印刷用紙の表裏で連続した頁となるように印刷される。
【００５３】
当該印刷用紙には、印刷機３６によって、前記［ｃ−２−１］と同様の第１情報コード４１、囲み線４３ｂ、注釈４３ａが前記本文内容２１ａの印刷と併せて印刷される。この印刷用紙は、前記の頁の配列に沿って文庫判サイズに裁断されることにより、第２書籍綴込み用紙２２ｂを構成する。更に、前記［ｃ−２−１］と同様に、注釈綴込み用紙に対する注釈の印刷、広告綴込み用紙２９に対する広告の印刷、書評綴込み用紙３０に対する書評の印刷、表紙側のシート２２１に対する第２情報コード４２の印刷、包装箱３９に対する発注者情報、発注コード４５、第２情報コード４２の印刷等、各種の印刷処理が施される。
【００５４】
ステップＳ６３では、第２書籍綴込み用紙２２ｂについて夫々１枚ずつ独立した用紙として綴込み可能に構成すべく、前記と同様の綴じ穴１１の穴あけ加工が施される。また、ステップＳ６４、Ｓ６５では、第２書籍綴込み用紙２２ｂに対して、注釈綴込み用紙、広告綴込み用紙２９、書評綴込み用紙３０、インデックスシート２２１〜２２５等の追加的綴込み用紙が付加され、これらの用紙２２ｂ，２９，３０，２２１〜２２５が綴込み用紙２２として一体に扱われる。そして、綴込み用紙２２は、前記の箱詰め行程を経て包装箱３９ごと包装手段により包装され、書籍２１として発送される（ステップＳ６５）。尚、前記［ｃ−２−１］とは異なり、ステップＳ６２において本文内容２１ａを印刷することから、第２書籍綴込み用紙２２ｂ、注釈綴込み用紙、広告綴込み用紙２９、書評綴込み用紙３０の夫々について各別に印刷する必要がない。つまり、サーバ２５において、予め書籍２１に係る画像データ、広告データ、注釈データ、書評データを１冊の書籍として編集して印刷可能な印刷データに加工し、当該印刷データを含む発注情報を、通信ネットワーク２３経由で印刷／加工システム側に送信する。この印刷データに基づき、印刷／加工システムにおいて、印刷機３６及び加工機３７により一冊の綴込み用紙２２として印刷製本を行うことができる。また、本実施形態と異なり、加工／印刷会社２６Ａにおいて書籍２１を印刷の版を用いて製本してもよい。
【００５５】
［ｄ．注釈送信］
前記注釈の登録は、図１７に示すフローチャートに従って処理を実行することにより行われる。この端緒として、例えば上記［書籍購入］から所定期間経過後、サーバ２５から、通信ネットワーク２３を経由して注釈送信案内の電子メールが、発注者用端末２４（書籍購入者）に対して通知される。この注釈登録を行うには、先ず端末２４からサーバ２５のホームページにアクセスして前記入口画面を表示させ（ステップＳ７１）、この入口画面で「注釈送信」を選択する（ステップＳ７２）。そして、ステップＳ７３、Ｓ７４では、前記ステップＳ１３、Ｓ１４と同様の会員番号及びパスワード（ここでは例えば電子メールに付されたシリアルナンバー等のパスワード）の入力処理が行われる。サーバ２５は、入力されたデータが登録されていない場合には、注釈送信のサービスを提供できないものとして、その旨を端末２４に表示し（ステップＳ７５）、入口画面に戻る。
【００５６】
サーバ２５は、会員番号及びパスワードの照合結果が一致した場合（ステップＳ７４にてＹｅｓ）、購入した書籍２１の本文内容２１ａにおける語句乃至記述に対する注釈を入力するための入力画面（図１８参照）を端末２４側に表示させる（ステップＳ７６）。この入力画面において、書籍購入者（元購入希望者）は、書籍２１における注釈を行う頁を表示させ、注釈する語句や記述の該当箇所を、例えばマウスを用いて指定する（ステップＳ７７）。そして、例えば囲み線により指定した難解な語句等について、詳細な解説、感想、コラム等のコメント乃至注釈（図１８中、右半部参照）を入力する。当該語句等について、書籍２１を購入者した第三者により既に注釈がなされている場合には、その注釈を加筆修正することができ、注釈は、書籍購入者により或は他の書籍購入者との共同により作成、編集されることとなる。また、入力した注釈について、文学、歴史、経済、科学、法律、工学等のカテゴリーを選択して入力する（ステップＳ７９）。サーバ２５側では、受信したデータの内容をチェックすると共に、その注釈データをデータベースに登録して注釈の登録処理を終了する（ステップＳ８０、Ｓ８１）。
【００５７】
［ｅ．書評送信］
前記書評の登録は、図１９に示すフローチャートに従って処理を実行することにより行われる。この端緒として、例えばサーバ２５は、上記［注釈送信］と同様に書籍購入から所定期間経過後、通信ネットワーク２３を経由して書評送信案内の電子メールを、端末２４に対して通知する。この書評登録を行うには、先ず端末２４からサーバ２５のホームページにアクセスして前記入口画面を表示させ（ステップＳ９１）、この入口画面で「書評送信」を選択する（ステップＳ９２）。そして、ステップＳ９３〜Ｓ９５では、前記ステップＳ７３〜Ｓ７５と同様の会員番号及びパスワードの入力処理が行われる。尚、［注釈送信］や「書評送信」は、例えば会員登録或は対価の支払いを条件に、書籍購入者以外の第三者も行えるように受け付けてもよい。
【００５８】
サーバ２５は、会員番号及びパスワードの照合結果が一致した場合（ステップＳ９４にてＹｅｓ）、購入した書籍２１に対する書評を入力するための入力画面（図示せず）を端末２４側に表示させる（ステップＳ９６）。この入力画面において、書籍購入者は、書籍２１の内容に係る紹介や批評として書評を入力する（ステップＳ９７）。サーバ２５側では、受信した書評データの内容のチェックをチェックしてデータベースに登録し、書評の登録処理を終了する（ステップＳ９８、Ｓ９９）。また、サーバ２５側では、この登録された書評について、例えば前記管理者による所定の評価基準に基づく順位付けが行われ、当該順位と関連付けてデータベースに記憶される。これにより、サーバ２５は、前述した発注の際、高順位の書評をデータベースから選定し、その選定した書評の綴込み用紙３０の印刷を加工業者用端末２６に対して指示することとなる。
【００５９】
［３．作用効果］
さて、書籍は、小説、古典をはじめ学習書、写真集等、様々なジャンルがある。このような書籍は、通勤時間や空き時間等を利用して読むことも少なくなく、複数の書籍を持ち運ぶ際に、カバンの中で嵩張ることもある。この点、本実施形態の書籍２１は、夫々１枚ずつ独立した綴込み用紙２２として所有者（書籍購入者）による必要な頁のみを分冊することができる。しかも、書籍２１は文庫判サイズで、且つ綴込み用紙５と同様に綴じ穴１１が形成されているため、システム手帳１に綴じ込むことにより、持ち運びに便利で、しかも栞６が有効に機能する。即ち、システム手帳１に、リフィルとしての綴込み用紙５の他、複数の書籍２１の夫々について必要な頁のみを綴じ込むことができ、複数の書籍や読む予定のない頁の部分を持ち歩くことなく、多様なジャンルの書籍２１について並行して読書を楽しむことができる。また、栞６は、綴込み用紙５，２２の頁間において、干渉板１６と綴込みリング９の係合により綴じ込み側への移動が阻止されるため、綴じ込み側へ落ち込まないようになっている。従って、綴込み用紙５，２２の角部に対する栞６の引っ掛かりを防止することができ、複数の書籍２１を綴じた場合でも、栞６を利用して目的の頁を即座に開くことができる。
【００６０】
栞６は、複数の綴込みリング９のうち任意のリング９に装着部１３を装着することができ、或は補助リング１０にのみ装着部１３を装着することもできる。後者の場合には、栞６を所望する頁に設定する際に装着部１３を着脱する必要が無く、使い勝手がよい。
【００６１】
以上のように、本実施形態のシステム手帳１は、栞６を、綴込み用紙５，２２の頁間に位置させて当該綴込み用紙５，２２から脱落しないように保持する脱落防止手段（干渉板１６）を備えている。これによれば、綴込み用紙５，２２の頁間に配された栞６は、干渉板１６によって保持されるため、綴込み用紙５，２２からの脱落や綴込み用紙５，２２の角部に対する栞６の引っ掛かりを防止することができ、栞６を利用して目的の頁を即座に開くことができる。また、綴込みリング９を利用して複数の栞６を取付けることができると共に、干渉板１６によって栞６の紛失や飛散を防止することができ、総じて使い勝手のよいものとすることができる。
【００６２】
栞６は全体として紐状をなし、前記脱落防止手段として、栞６の途中部６ａに綴じ具３（の綴込みリング９）との係合により当該栞６の移動を阻止する平板部たる干渉板１６を設けた。これによれば、栞６を綴じ込み側へ移動しないよう確実に保持することができる。また、脱落防止手段を極力簡単な構成とすることができると共に、その厚み寸法を比較的小さく設定することができ、実用上において有益なものとすることができる。
【００６３】
栞６の一端部に、綴込みリング９或は綴じ具３に対して着脱可能に取り付けられる装着部１３を設けた。これによれば、栞６の装着部１３を例えば複数の綴込みリング９のうち任意のリング９に容易に装着することができる。また、複数の栞６を複数の綴込みリング９に対して１つのリング９に重複しないように分散して装着することで、複数の栞６を用いた場合におけるシステム手帳１の厚みの増加を抑制することができる。
【００６４】
栞６の装着部１３は、円板状、或はリング状に形成されているため、綴込みリング９に装着部１３を装着しても、その装着によるシステム手帳１の厚みの増加を極力抑制することができる。また、装着部１３を比較的安価で簡単な構成とすることができる共に、システム手帳１の綴じ具３を利用して容易に装着することができる。
【００６５】
本体カバー２における複数の綴込みリング９の上側に位置して栞用の補助取付け部（補助リング１０）を設け、栞６は、補助リング１０又は綴込みリング９に対して装着部１３により着脱可能に取り付けられる。これによれば、栞６の基端部たる装着部１３を補助リング１０に取り付けることで、当該装着部１３を、綴込み用紙５，２２の頁間に挟むことなくシステム手帳１に対してコンパクトに取り付けることができる。また、この場合、栞６を所望の頁に挟む場合に装着部１３にて着脱する必要がないので、使い勝手を向上させることができる。
【００６６】
また、システム手帳１は、一辺部に複数の綴じ穴１１を有し、綴込み用紙５，２２を仕切るシート状の仕切シート（インデックスシート２２１〜２２５）を備えている。これによれば、複数の綴込み用紙５，２２と仕切シートとを本体カバー２に綴じ込むことで、綴込み用紙５，２２に対して見出しや指標となるように仕切るこができると共に、後述のように各種の栞を保持する脱落防止手段として活用することができる。
【００６７】
綴込み用紙５，２２の綴じ穴１１を、角丸長方形状に形成した。これによれば、綴込みリング９に対する綴込み用紙５，２２の横方向への相対的な移動が許容されることから、綴込み用紙５，２２を綴じ具３に対して当接させる方向へ移動させることで、栞６の脱落を防止するように機能させることができる。また、綴込み用紙５，２２を、本体カバー２の開き側縁部からはみ出さないように移動させることができ、本体カバー２における表表紙２ａ及び裏表紙２ｃの横方向寸法をＡ６サイズと略同じ寸法に設定することができる。
【００６８】
複数の綴込みリング９を、１９ｍｍのピッチ間隔で６箇所に配置された既存の６穴式のファイル用リングの配置形態とした。これによれば、既存のシステム手帳乃至ファイルに綴込み可能な各種の綴込み用紙をシステム手帳１に綴じ込むことができ、実用上において有益なものとすることができる。
【００６９】
綴込み用紙５やその他の綴込み用紙２２は、第１書籍綴込み用紙２２ａと同様、その縁部において綴込み用紙５，２２の厚み方向に対して斜めに裁断する裁断加工を施すことができる。これによれば、綴込み用紙５，２２を、その開き側縁部において１枚ずつめくり易くなるので、目的の頁をより容易に開くことが可能となる。この点、第１書籍綴込み用紙２２ａの制作に際して、必要的に背表紙部の裁断加工が施されるため、その背表紙部を斜めに裁断することで工数の増加を来すことがない。
【００７０】
綴込み用紙５，２２はＡ６サイズの大きさであることから、システム手帳１において、Ａ６サイズのノートやＡ判の各種の用紙、そして文庫本としての書籍２１をリフィルとして適合させることができる。また、持ち運びに便利で汎用的な大きさであるので、より使い勝手のよいものとすることができる。
【００７１】
図示は省略するが、前記書籍２１と同様に、市販されている文庫判サイズの手帳に対する背表紙部の裁断加工と前記ピッチ間隔での穴あけ加工とを施すことにより手帳綴込み用紙を制作することができる。このように、市販されている原本から手帳綴込み用紙や第１書籍綴込み用紙２２ａを比較的簡単に加工することができ、製造コストを抑制することができる。また、システム手帳１に、複数の書籍２１の夫々について必要な頁のみを綴じ込むことができ、複数の書籍や読む予定のない頁の部分を持ち歩くことなく、多様なジャンルの書籍２１について並行して読書を楽しむことができる。
【００７２】
綴込み用紙は、１枚ずつ剥離処理が施されているので、特に第１書籍綴込み用紙２２ａが互いにくっつくような不具合を無くすことができる。また、製本過程において、当該剥離処理の後、複数の第１書籍綴込み用紙２２ａに対して印字処理等を１枚ずつ確実に行うことができると共に任意の頁に広告綴込み用紙２９等を確実に挿入することができ、製造管理に便宜である。
【００７３】
綴込み用紙は、前記ピッチ間隔の前記綴じ穴を有し且つ夫々１枚ずつ独立した綴込み用紙であって、書籍２１として印刷された第２書籍綴込み用紙２２ｂを含む。従って、複数の書籍２１の夫々について必要な頁のみを綴じ込むことができる等、第１書籍綴込み用紙２２ａと同様の効果を得ることができる。
【００７４】
綴込み用紙２２は、予め広告主から前記書籍のカテゴリー毎に募集した広告を掲載した広告綴込み用紙２９を含み、第１或は第２書籍綴込み用紙２２ａ，２２ｂは、当該綴込み用紙２２ａ，２２ｂの頁間に広告綴込み用紙２９を挿入して同梱した書籍２１である。これによれば、例えば第１書籍綴込み用紙２２ａに対してその１０枚おきに１枚ずつ広告綴込み用紙２９を挿入することで、読書の際に広告綴込み用紙２９を自然に目にすることになり、高い広告効果を得ることができる。
【００７５】
＜第２実施形態＞
図２０は、第２実施形態を示す図１３相当図であり、第１実施形態と異なる点につき説明する。本実施形態の第２書籍綴込み用紙２２ｂは、定期的な発行が予定されている書籍（例えば毎月発行のＡ５サイズの学習書）を基に制作される。
【００７６】
先ず、サーバ２５は、例えば当該学習書の発行日に、加工／印刷会社２６Ａへ学習書の原本を配送するための情報を、通信ネットワーク２３を経由して取次業者用端末２７側に送信する（ステップＳ１０１）。本実施形態の配送の指示情報における、学習書の冊数は、その種類ごとに１部ずつ指定され、取次業者は、この発送指示情報に基づき、加工／印刷会社２６Ａへ学習書の原本を発送する。また、サーバ２５は、前記スキャナにより学習書とその表紙の夫々の内容について画像データを取得する撮像処理を、通信ネットワーク２３を経由して加工業者用端末２６側に指示する（ステップＳ１０２）。そして、サーバ２５は、前述した受発注処理を経て（ステップＳ１０３、つまり購入希望者からの発注をまって）、第２書籍綴込み用紙２２ｂの制作処理と発送処理を、通信ネットワーク２３を経由して加工業者用端末２６側に指示する（ステップＳ１０４）。
【００７７】
一方、加工／印刷会社２６Ａ側では、サーバ２５の指示に基づき前記［ｃ−２−２］の処理（つまりステップＳ６２〜Ｓ６５）と同様の一連の処理が行われ、文庫判サイズの学習書の書籍２１が作制された後、その書籍２１が購入希望者へ発送されるようになっている。
【００７８】
本実施形態では、文庫判サイズにない定期的な刊行物の制作に係る処理の流れを説明したが、ステップＳ１０４に代えて図１３のステップＳ４２〜Ｓ４８の処理を実行することで、前記学習書を含む各種の書籍を、分冊が可能な書籍２１として作制することができる。この点、書籍の出版は、商業的な採算性が前提とされ、その出版から数年経過後、市場性のあるものだけが文庫本として発売され、文庫本化されずに絶版になるものもある。上記構成によれば、前記学習書の他、絶版となった書籍、文庫本化されていない市場性のある書籍を含む各種の書籍を、システム手帳１に綴じ込むことが可能となる。
【００７９】
原本の内容を画像データとして読み取るスキャナと、前記画像データを記憶するデータベースとを備え、第２書籍綴込み用紙２２ｂ及び包装箱３９には、印刷手段により前記画像データに基づく印刷が夫々施される。このため、前述のように絶版となった書籍でも市場の要求に応じて、第２書籍綴込み用紙２２ｂや包装箱３９を、必要な冊数の分、永続的に出版することができる。従って、文庫判サイズへの縮小／拡大印刷を含むオンデマンド出版における製本コストを極力抑制することができる。特に、上記構成にあっては、定期的な刊行物について、購入希望者の発注前に、予め当該刊行物の画像データを取得することができる。このため、購入希望者の発注後における書籍２１の製本に要する時間を極力短縮することができ、購入希望者へ速やかに発送することができる。
【００８０】
＜その他の実施形態＞
図２１〜図３２は、その他の実施形態を示すものであり、第１実施形態と同一部分には同一符号を付す等して説明を省略し、以下異なる点につき説明する。
【００８１】
図２１（ａ）は、本発明の第３実施形態の栞５１を示しており、（ｃ）は、本実施形態の綴じ具３近傍部を拡大して示す下側面図である。本第３実施形態の栞５１は、第１実施形態の栞６と以下の点で相違する。即ち、図２１（ａ）に示すように、栞５１の途中部５１ａに設けられた干渉板５３は、例えば金属材料から矩形薄板状に形成されている。また、干渉板５３は、栞６と同様に中心線Ｓ２を対称軸をとして、左右対称の形状をなしている。一方、綴じ具３には、ベース７の下部側に位置して、干渉板５３に対して係合可能に突出する係止部としての被干渉部５４（図２１（ｃ）参照）が一体に設けられている。この被干渉部５４は、綴込み用紙５，２２の下端近傍部に位置し、下側から見てリング片９ａ，９ｂの係合部９ｃ側に突出するように形成されている。尚、被干渉部５４を、本体カバー２の背表紙２ｂ近傍部に直接、設けるようにしてもよい。
【００８２】
栞５１の干渉板５３は、本体カバー２を開いた状態で（図２１（ｃ）参照）被干渉部５４の側面部５４ａに当接して係止され、本体カバー２を閉じた状態では（図示せず）、被干渉部５４の先端部５４ｂに当接して係止されるようになっている。従って、本実施形態の脱落防止手段は、ベース７或は本体カバー２に設けられた被干渉部５４と栞５１の干渉板５３とで構成される。これによれば、栞５１は、綴込み用紙５，２２の頁間において、干渉板５３と被干渉部５４との係合により綴じ込み側への移動を確実に阻止することができる。この他、干渉板５３の表裏が反転しても、その干渉板５３を脱落防止手段として機能させることができる等、第１実施形態と同様の効果を奏する。
【００８３】
図２１（ｂ）は、第３実施形態の栞５１の構成を一部異ならせた栞５５を示している。栞５５の装着部５６は、フック本体５６ａと、このフック本体５６ａに閉位置（同図中、実線参照）及び開位置（破線参照）の間で揺動可能に設けられた補助フック５６ｂとを備えた周知構成のものである。即ち、補助フック５６ｂは、図示しない付勢部材の付勢力により閉位置側へ付勢されており、補助フック５６ｂと一体をなす操作片５６ｃにて、当該付勢力に抗して開位置側へ操作される。この操作により、装着部５６は、補助リング１０或は綴込みリング９に対して容易に着脱されるようになっている。栞５５には、紐状部１２に代えて金属材料からなる細長な鎖状部５７が用いられている。また、栞５１の干渉板５８は、円板状をなす脱落防止手段であって、干渉板５３と同様に左右対称の形状をなしている。従って、栞５５においても、栞５１と同様に綴じ込み側への栞５５の脱落を防止することができる。尚、干渉板５３，５８は、矩形枠状に形成する等、適宜変更してもよく、装飾部１５と同様、栞５１，５５の外観意匠性を高めうる。
【００８４】
詳しい図示は省略するが、干渉板５３、５８及び紐状部１２には、摩擦材料（例えば樹脂材料）からなる表層部（コーティング層６０）が形成されており、この摩擦材料によって、栞５１，５５と綴込み用紙５，２２との間に摩擦力を発生させる摩擦付与手段（脱落防止手段）を構成している。また、図示は省略するが、干渉板５３、５８や紐状部１２そのものを、摩擦材料から形成し、摩擦付与手段として構成してもよい。これら摩擦付与手段によれば、栞５１，５５と綴込み用紙５，２２との間の摩擦力により、栞５１，５５の移動を阻止することができ、栞５１，５５の綴じ込み側への脱落をより確実に防止することができる。尚、綴込み用紙５，２２の表面に、当該綴込み用紙５，２２の下側縁部及び上側縁部のうちの一方または双方に摩擦材料（粉末状のものでもよい）を塗布してもよく、この摩擦付与手段によれば、各種の栞に対して前述した脱落防止を図ることができる。
【００８５】
図２２（ａ）は、本発明の第４実施形態のインデックスシート２２１Ａ（所謂表紙リフィルとしての仕切シート）を示している。インデックスシート２２１Ａは、例えば厚紙からなり、その一辺部（例えば開き側縁部）に栞６１が一体に設けられている。栞６１は、長尺形状をなす帯状部６２と、この帯状部６２の先端部６２ａに設けられたリング状をなす装着部６３とを一体に有する。帯状部６２の基端部６２ｂは、インデックスシート２２１Ａの綴じ穴１１に対応する位置に設けられており、本実施形態では例えば図２２（ａ）中、上から２番目の綴じ穴１１と同じ高さ位置でインデックスシート２２１Ａに接続されている。帯状部６２の長さ寸法は、例えば綴込み用紙５，２２の横寸法Ｌ２と略同じ長さ寸法に設定されている。栞６１は、同図に２点鎖線で示すように帯状部６２を基端部６２ｂにて裏側へ（表側でもよい）折り返し、当該帯状部６２とインデックスシート２２１Ａとにより綴込み用紙５，２２を挟んだ状態で、装着部６３を綴込みリング９に装着する。こうして、栞６１は、綴込み用紙５，２２の頁間に挟み込まれる目印として、当該綴込み用紙５，２２に対し左右に掛け渡されるようにして用いられる。このため、前述した栞の紛失や飛散を防止することができると共に、綴込み用紙５，２２の角部に対して引っ掛かることがない。また、インデックスシート２２１Ａを書籍２１の表紙として用いることで、栞６１とインデックスシート２２１Ａとの間に読み進めた頁の分、挟み込むことができ、使い勝手のよいものとすることができる。尚、説明の便宜上、図４や図２２（ａ）で左開き（左綴じ）のシート２２１、２２１Ａを示したが、通常の文庫本の如く右開き（右綴じ）のシート（綴込み用紙２２）でもよい。
【００８６】
図２２（ｂ）は、第４実施形態のインデックスシート２２１Ａの構成を一部異ならせたインデックスシート２２２Ａを示している。インデックスシート２２２Ａは、例えば厚紙からなり、その上側縁部に設けられた長尺形状をなす栞６４を一体に有して構成されている。栞６４は、その基端部６４ｂで表側或は裏側へ折り返され、上側縁部に対向する下側縁部に向けて延びる帯状（短冊状）をなしている。これによれば、当該栞６４とインデックスシート２２１Ａとの間に読み進めた頁の分、挟み込むことができ、上記栞６１と同様の効果を得ることができる。即ち、インデックスシート２２１Ａ或は２２２Ａは、その縁部に帯状の栞６１或は６４を一体に形成することで、当該栞６１或は６４を保持する脱落防止手段として機能する。尚、栞６４については、そのインデックスシート２２２Ａ上側縁部における左右方向の位置（基端部６４ｂの位置）を適宜異ならせた複数種類のインデックスシート（図示せず）を用意することで、１つのシステム手帳１において複数の栞６４を互いに重ねることなく使用することができる。
【００８７】
図２２（ｃ）に示すインデックスシート２２２Ａ´は、例えば合成樹脂材料からなり、その一辺部には、例えば前記栞６１の基端部６２ｂと同じ位置に、半円環状（半リング状）の被装着部６５が一体に設けられている。この被装着部６５には、栞６６が着脱可能に装着される。即ち、栞６６は、細長な鎖状部６７と、この鎖状部６７の両端に設けられたリング状の装着部６８ａ、６８ｂとからなる。鎖状部６７は、例えば綴込み用紙５，２２の横寸法Ｌ２と略同じ長さ寸法に設定され、一方の装着部６８ａを被装着部６５に他方の装着部６８ｂを綴込みリング９に取り付ける。こうして、栞６６は、インデックスシート２２２Ａ´に対して着脱可能に設けられ、綴込み用紙５，２２に対し左右に掛け渡されるようにして用いられることから、前述した栞６１と同様の効果を得ることができる。
【００８８】
尚、インデックスシート２２１Ａと栞６１は、例えば１枚の厚紙から（つまり基端部６２ｂでの折り曲げにより）形成してもよいし、各別に形成したシート２２１と栞６１を基端部６２ｂで結合手段（例えば接着剤）により結合してもよい。インデックスシート２２２Ａ及び２２２Ａ´と、栞６６及び被装着部６５とについても、１枚の材料から形成してもよいし、別部材を結合することにより構成してもよい。
【００８９】
図２３は、本発明の第５実施形態のシステム手帳１について綴込み用紙５，２２を省略して示す概略図である。栞７１の紐状部１２における装着部１３とは反対側の他端部には、例えば矩形状をなす第１面状ファスナー７２が設けられている。本実施形態の紐状部１２の長さ寸法は、装着部１３が補助リング１０に装着された状態で、栞７１の途中部７１ａが本体カバー２の下縁部を経由し、第１面状ファスナー７２が本体カバー２の外面側まで達するように設定されている。一方、本体カバー２には、例えば裏表紙２ｃの外面側に位置して、第１面状ファスナー７２と着脱自在な第２面状ファスナー７３が設けられている。保持部たる第２面状ファスナー７３は、例えば、被保持部たる第１面状ファスナー７２に比し大きな寸法形状をなし、裏表紙２ｃにおける背表紙２ｂ寄りの下縁部にて所定方向（例えば横方向）に延びるように形成されている。
【００９０】
上記構成において、栞７１は、装着部１３が補助リング１０に装着された状態で、その途中部７１ａが本体カバー２の縁部を経由し、第１面状ファスナー７２にて第２面状ファスナー７３に保持解除可能に保持されるため、綴じ込み側への栞７１の脱落を防止することができる。また、第２面状ファスナー７３は、本体カバー２の裏表紙２ｃにて所定方向に延びるように形成されているので、栞７１の紐状部１２が弛まないよう第１面状ファスナー７２の保持位置を調整することができ、栞７１の脱落をより確実に防止することができる。尚、上記の脱落防止手段たる保持部及び被保持部は、面状ファスナーに限定するものではなく、保持部に対して被保持部が保持解除可能に保持する構成であればよい。また、保持部は、横長ではなく縦長に配置してもよいし、本体カバー２ではなくインデックスシート２２１〜２２５等に対して配設してもよい。
【００９１】
図２４は、本発明の第６実施形態を示すもので、綴じ具３上側の操作部８´近傍部の拡大図である。操作部８´は、例えば横長な小判状をなしており、その左右方向及び上下方向の寸法が一般的な形態をなす操作部８よりも大きく設定されている。この操作部８´には、左右両端部に位置して丸穴７４ａ，７４ａが形成されると共に、当該一対の丸穴７４ａ，７４ａ間を接続し且つ操作部８´の外周部に沿う幅狭な溝部７４ｂが形成されている。これら丸穴７４ａ，７４ａと溝部７４ｂとからなる穴部７４に対して、複数の栞６の装着部１３等を取り付けることができると共に、これら栞６の装着部１３を、溝部７４ｂを通じて一対の丸穴７４ａ，７４ａ間で移動させることができる。また、操作部８´は、穴部７４が形成されていない所定の押圧操作面積８ａが確保されるよう、比較的大型に形成されているため、手指で容易に操作することができる。
【００９２】
上記のように、操作部８´に穴部７４を形成したので、栞用の補助取付け部を別部材として設ける必要がない。従って、システム手帳１への栞の適用に際して、部品点数の増加を抑制することができ、安価で簡単な構成とすることができる。尚、システム手帳１において、操作部８´を綴込み用紙５，２２よりも上側に配置したが、これに限定されるものではない。また、操作部８´及び穴部７４の形状は適宜変更してもよく、例えば、通常の操作部８に穴部を形成してもよいし、操作部８´の穴部７４を溝部７４ｂのみで構成してもよい。また、図示は省略するが、操作部の形状を左右方向のうち一方側（例えば右側）にのみ張出すように拡張して、その拡張部分に穴部を形成してもよいし、操作部の形状を上側にのみ張出すように拡張して、その上側部分にのみ穴部を形成してもよい。
【００９３】
図２５（ａ）は、本発明の第７実施形態を示すもので、綴じ具３下側の操作部８近傍部の拡大図である。綴じ具３には、ベース７の下部側に位置して、栞６の途中部６ａに対して係合可能に突出する脱落防止手段としての係止部７５が設けられている。具体的には、係止部７５は、例えば、綴込み用紙５，２２下縁部の直ぐ下側に当該下縁部に沿うように配置されている。また、係止部７５は、例えば、補助リング１０と同様に金属製の一対のリング片７５ａ，７５ｂからなり、操作部８の操作により、それらの先端部に夫々形成された係合部７５ｃが互いに係脱する閉位置（図２５（ａ）参照）と開位置（図示せず）との間で揺動する。これによれば、図２５（ａ）に示すように、係止部７５は、綴込み用紙５，２２の下側近傍部にて綴じ込み側へ移動しないよう栞６の途中部６ａを係止するため、綴じ込み側への栞７１の脱落を防止することができる。また、係止部７５は、補助リング１０と同様のリング形態をなすことから、使用者の好みに応じて栞６の装着部１３を装着するための補助リングとして使用することができる。
【００９４】
図２５（ｂ）は、第７実施形態の係止部７５の配置構成を異ならせた係止部７５´を示している。係止部７５´は、ベース７において係止部７５の配設位置よりも若干、上側に位置して配設されている点で、係止部７５と異なる。このため、綴込み用紙５，２２下縁部には、綴じ込み側の角部Ｐ０部分を係止部７５´に沿って切欠いた逃し部７６が形成されている。この係止部７５´によっても、係止部７５と同様の効果を得ることができると共に、係止部７５の配置に伴う綴じ具３（本体カバー２）の上下方向の大型化を抑制することが可能となる。尚、係止部７５，７５´は、その形状など適宜変更してもよく、例えば本体カバー２に対して直接、設けるようにしてもよい。
【００９５】
図２５（ｃ）は、綴込みリング９の配置構成を異ならせた綴込みリング９´を示している。綴込みリング９´は、例えば綴込みリング９のピッチＬ０よりも大きいピッチＬ０´で配置されることにより、６つのリング９´のうち上端側のリング９´（図示せず）と下端側のリング９´（図２５（ｃ）参照）は、綴込み用紙５，２２の上側近傍部と下側近傍部に夫々近接する。これによれば、上下両端側のリング９´，９´によって、綴じ込み側への栞７１の脱落を防止することができ、脱落防止手段の構成を極力簡単にすることができる。尚、システム手帳１において、綴込みリング及び綴込み用紙の綴じ穴は、６穴式のものに限定するものではなく、夫々複数の綴込みリング及び複数の綴じ穴で構成されていればよい。
【００９６】
図２６は、本発明の第８実施形態を示す図２３相当図である。同図に示すように、栞９１の途中部９１ａには、紐状部１２における装着部１３とは反対側の他端寄りの位置に、干渉板９２が設けられている。干渉板９２は、例えば金属材料から比較的細長な薄板状に形成されており、その両端部には、紐状部１２を連結するための連結部（例えば連結孔９２ａ）が夫々形成されている。そして、干渉板９２の長さ寸法Ｌ６は、綴込みリング９のピッチＬ０よりも大きくなるように設定されている（Ｌ６＞Ｌ０）。これにより、干渉板９２は、綴込み用紙５，２２の下端近傍部おいて、複数の綴込みリング９に対して掛け渡されるように当接することで、綴じ込み側への栞９１の移動を阻止する。従って、栞９１が図２６中、２点鎖線で示す状態にあっても、紐状部１２の下端部を摘んで操作することで、目的の頁を即座に開くことができると共に、干渉板９２を綴じ込み側への栞９１の移動を阻止する脱落防止手段として機能させることができる。尚、本発明の栞の「紐状部分」は、比較的細長い長尺形状のものであればよく、紐状部１２の他、鎖状部５７，６７等をも包含する。
【００９７】
図２７は、本発明の第９実施形態を示す図２３相当図である。栞９５は、例えば可撓性を有する合成樹脂材料からなり、やや幅広な基端部９５ａと、この基端部９５ａから先端部にかけて次第に先細となる本体部９５ｂとを一体に有し、全体として杖状に形成されている。栞９５の基端部９５ａは、直線的に上下に延びる本体部９５ｂに対して、側方（補助リング１０側）へ屈曲する形状をなす。この基端部９５ａには、ほぞ穴状（抜け止め形状）の係合凹部９５ｃが形成されている。係合凹部９５ｃにはその可撓性によって、補助リング１０や綴込みリング９が容易に嵌り込み且つ抜け止めされる。これによれば、綴込み用紙５，２２の下端近傍部にて綴込みリング９に当接することにより、綴じ込み側への栞９５の脱落を防止することができる。つまり、栞９５は、直線状をなす本体部９５ｂと装着部たる基端部９５ａとを有し、本体部９５ｂが脱落防止手段の干渉部として機能する。また、栞９５の可撓性を利用した比較的簡単な構成で、補助リング１０や綴込みリング９に対し容易に着脱することができる。
【００９８】
図２８は、本発明の第１０実施形態を示す図１５相当図である。本実施形態の包装箱９６は第１実施形態の包装箱３９と以下の点で相違する。即ち、包装箱９６は、例えばその裏表紙３９ｃを略矩形状に切り欠いた窓部９６ａを有する。また、包装箱９６においては、前述した発注者情報、発注コード４５、第２情報コード４２が省略されている。これに対し、書籍２１の表紙側に配されるインデックスシート２２１には、発注者情報が印刷されると共に、ＲＦＩＤタグ９７が貼付されている。詳しい図示は省略するが、ＲＦＩＤタグ９７は、フィルム基材上にＩＣチップ及びアンテナを実装して所謂インレットを構成した周知構成のものである。このＲＦＩＤタグ９７には、発注者情報の他、書籍名、著者名、出版社名、ＩＳＢＮコード等の書籍情報が記憶されると共に、シリアルナンバー（前記第２情報コード４２の内容）等が記憶されている。そして、包装箱９６は、書籍２１を収容した状態で、窓部９６ａからインデックスシート２２１の発注者情報やＲＦＩＤタグ９７を覗かせる。
【００９９】
これによれば、書籍２１の表紙たるインデックスシート２２１（綴込み用紙２２）に所有者の氏名等を明示することができ、書籍２１を紛失してもその所有者を容易に確認することができる。また、書籍２１が包装箱９６に収容された状態で、ＲＦＩＤタグ９７により外部と非接触で情報をやりとりすることができ、書籍２１の流通管理や自動仕分けに有用なものとすることができる。尚、包装箱９６の窓部９６ａを、透明樹脂材料から形成する等、その形状も含め適宜変更が可能である。発注者情報、発注コード４５、第２情報コード４２の印刷やＲＦＩＤタグ９７の貼付を、包装箱を包装する前記包装手段等に対して行うようにしてもよい。
【０１００】
図２９は、本発明の第１１実施形態を示すもので、インデックスシート９８ａと一体型の栞シート９８ｂを例示している。即ち、例えば、１枚の透明な合成樹脂材料（乳白色でもよい）のシート材を、その開き側縁部で２つ折りにした折曲部９９ａを境に、インデックスシート（樹脂製仕切シート）９８ａと栞シート（樹脂製栞シート）９８ｂとが構成されている。両シート９８ａ，９８ｂ間には、その下側縁部を接合する接合部９９ｂが形成され、当該接合部９９ｂ及び折曲部９９ａ以外の部分は開放されている。この栞シート９８ｂは、インデックスシート９８ａの開き側縁部（折曲部９９ａ）から左右方向の中間部まで綴じ込み側へ延びるように形成されている。また、栞シート９８ｂは、例えば、一方側（上半部）において上側ほど綴じ込み側への突出量が次第に小さくなるように設定され、他方側（下半部）において折曲部９９ａ側へ短冊状に切欠いた露出部１００が形成されている。
【０１０１】
上記構成において、両シート９８ａ，９８ｂ間に、書籍２１（綴込み用紙２２）を読み進める予定の頁の分だけ挟み込むようにして収容することができ、栞シート９８ｂにより、綴込み用紙５，２２の開き側縁部近傍を押えることができる。そして、透明の両シート９８ａ，９８ｂは、所定の頁を挟んだ状態でも、当該頁部分の読書の妨げになることがなく、栞シート９８ｂの露出部１００にて手指で当該頁を容易にめくることができ、使い勝手のよいものとすることができる。ここで、本発明の栞は、綴込み用紙５，２２の頁間に挟み込まれる目印として用いられるものを称するものであり、本実施形態のインデックスシート９８ａは、栞シート９８ｂを脱落しないように保持する脱落防止手段として機能する。
【０１０２】
図３０、図３１は本発明の第１２実施形態を示している。同図に示すように、栞１１１は、装飾部１５及び干渉板１６が省略されている点で、栞６と異なる。また、本実施形態のシステム手帳１は、綴込み用紙５，２２及び本体カバー２に、栞１１１の脱落を防止するための脱落防止手段として第１切欠部１１５及び第２切欠部１１６を夫々備えている。
【０１０３】
具体的には、綴込み用紙５，２２の下側縁部には、綴じ込み側の角部Ｐ０（図３１（ａ）参照）の近傍に位置して、その下側縁部に沿って横方向へ矩形状に切り欠いた第１切欠部１１５が形成されている。図３１（ｂ）に示すように、第１切欠部１１５の横幅Ｌ３は、複数の綴込み用紙５，２２を綴じ込み重ねた状態において、それら綴込み用紙５，２２の厚み方向Ｄ２に連なる第１切欠部１１５の夫々に対し、栞１１１（紐状部１２）の途中部１１１ａが収まる寸法に設定されている。即ち、綴込み用紙５，２２は、前記綴込み状態で綴込みリング９乃至綴じ具３にガイドされることにより、図３１（ｂ）中、上下の綴込み用紙５間で横方向のずれ量ΔＧ１が生じる。このため、当該ずれ量ΔＧ１と栞１１１の途中部１１１ａの幅寸法Ｌ５とを合計した寸法よりも、第１切欠部１１５の横幅Ｌ３寸法を大きく設定することで（Ｌ３＞Ｌ５＋ΔＧ１）、第１切欠部１１５において栞１１１を真直ぐな状態で安定的に係止できる。また、第１切欠部１１５の綴じ込み側の端部は、図３１（ａ）の左右方向において綴じ穴１１側まで延びるように切り欠かれており、栞１１１を綴込みリング９の配列に沿った真直ぐな状態で係止するように形成されている。
【０１０４】
本体カバー２の裏表紙２ｃの下側縁部には、前記角部Ｐ０の近傍に位置して、その縁部に沿って逆「Ｌ」字状に切欠いた第２切欠部１１６が形成されている。第２切欠部１１６の導入部たる開口端１１６ａは、本体カバー２を開いた状態で第１切欠部１１５に対して綴込み用紙５の厚み方向Ｄ２に略合致する位置に形成され（図３１（ａ）参照）、その上部は、より幅広な抜止め部１１６ｂとされている。この抜止め部１１６ｂは、本体カバー２の開閉に伴って生じる第１切欠部１１５及び第２切欠部１１６相互間の相対的なずれ量ΔＧ２の分、幅広に形成されている。即ち、抜止め部１１６ｂの横幅Ｌ４の寸法を、当該ずれ量ΔＧ２、栞１１１の幅寸法Ｌ５、及び綴込み用紙５相互間でのずれ量ΔＧ１を合計した寸法よりも大きく設定することにより（Ｌ４＞ΔＧ２＋Ｌ５＋ΔＧ１）、本体カバー２を閉じた状態で第２切欠部１１６の抜止め部１１６ｂにて栞１１１を安定的且つ確実に係止して抜止めする。尚、第１切欠部１１５及び第２切欠部１１６を、綴込み用紙５，２２及び本体カバー２の下側縁部に夫々形成したが、第１切欠部１１５を綴込み用紙５，２２の上側縁部に形成してもよいし、第２切欠部１１６を本体カバー２の上側縁部に形成してもよい。
【０１０５】
上記のように、栞１１１を本体カバー２或は綴込みリング９に取り付け、綴込み用紙５，２２を本体カバー２に綴じ込んだ状態における当該綴込み用紙５，２２の下端近傍部或は上端近傍部に位置して、綴じ穴１１側縁部への栞１１１の移動を阻止する脱落防止手段（第１及び第２切欠部１１５、１１６）を設けた。これによれば、栞１１１は、綴込み用紙５，２２の頁間において、綴じ込み側に移動して落ち込まないよう第１切欠部１１５及び第２切欠部１１６により阻止される。従って、綴込み用紙５，２２の角部に対する栞１１１の引っ掛かりを防止することができる等、第１実施形態と同様の効果を得ることができる。
【０１０６】
脱落防止手段として、綴込み用紙５，２２の下側縁部及び上側縁部のうちの一方または双方を、その縁部に沿って横方向に切り欠いた第１切欠部１１５を設け、第１切欠部１１５の横幅Ｌ３は、綴込みリング９に綴じられることにより生じる複数の綴込み用紙５，２２相互間のずれ量ΔＧ１と、栞１１１の途中部１１１ａの幅寸法とを合計した寸法以上の寸法に設定した。これによれば、綴込み用紙５，２２の厚み方向に連なる第１切欠部１１５の夫々に対し（図３１（ｂ）参照）、栞１１１の途中部１１１ａを無理なく確実に収めて係止することができる。また、脱落防止手段として、本体カバー２の下側縁部及び上側縁部のうちの一方または双方を、その縁部に沿って横方向に切欠いた第２切欠部１１６を設けた。栞１１１は、本体カバー２からはみ出した部分、つまり本体カバー２の縁部で他と接触して移動し易いことから、当該縁部に第２切欠部１１６を形成することで、栞１１１を効果的に係止することができる。
【０１０７】
本体カバー２の第２切欠部１１６は、綴込み用紙５，２２の第１切欠部１１５に対して綴込み用紙５，２２の厚み方向に略合致する位置に形成され、第２切欠部１１６は、複数の綴込み用紙５，２２を綴じ込んだ状態において本体カバー２の開閉に伴って生じる第１切欠部１１５及び第２切欠部１１６相互間の相対的なずれΔＧ２量の分、幅広に形成されている。これによれば、本体カバー２を開閉しても、第１切欠部１１５及び第２切欠部１１６の双方で栞１１１の途中部１１１ａを確実且つ安定的に係止することができる。
【０１０８】
図３２（ａ）〜（ｅ）は、本発明の第１３実施形態を示すもので、綴込み用紙５，２２下縁部の角部Ｐ０部分の拡大図である。図３２（ａ）に示す第１切欠部８０は、その上部の両コーナー８０ａ，８０ａ部分が円弧を描くように形成され、全体として半長円形状をなす点で第１切欠部１１５と異なる。図３２（ｂ）に示す第１切欠部８１は、その下部たる開放側の両コーナー８１ａ，８１ａ部分が当該開放側に拡開するような円弧を描くように形成されている点で、第１切欠部１１５と異なる。図３２（ｃ）に示す第１切欠部８２は、その左右の両側部８２ａ，８２ａにおいて開放側が拡開する「ハ」字状に形成されている点で、第１切欠部１１５と異なる。
【０１０９】
第１切欠部８０，８１によれば、夫々のコーナー８０ａ，８１ａ部分を円弧状に切り欠いたので、コーナー８０ａ，８１ａ部分において用紙５，２２が傷みにくく破れ難い構造を得ることができる。第１切欠部８１，８２によれば、夫々の開放側を拡開させるように切り欠いたので、栞１１１を第１切欠部８１，８２に対して導き易くすることができ、使い勝手のよいものとすることができる。尚、図示は省略するが、本体カバー２の第２切欠部１１６の形状についても、第１切欠部８０，８１，８２のうちの何れかに対応する形状に形成する等、適宜変更してもよい。
【０１１０】
図３２（ｄ）、（ｅ）に示す、第３切欠部８５、８６は、夫々脱落防止手段として第１切欠部１１５、８０，８１，８２及び第２切欠部１１６に代えて形成されるものである。即ち、同図に示すように、綴込み用紙５，２２の綴じ込み側には、下縁部（上縁部でもよい）の角部Ｐ０部分を切り欠いた第３切欠部８５，８６が設けられている。ここで、第３切欠部８５は、前記角部Ｐ０部分を斜めにカットした形状をなし、第３切欠部８６は、前記角部Ｐ０部分がなだらかな円弧状をなすようにカットした形状をなす。これによれば、栞１１１の途中部１１１ａは、綴込み用紙５，２２の頁間において、綴じ込み側へ移動しても、その移動の際に綴じ込み側縁部の手前側で第３切欠部８５（或は第２切欠き部８６）に至る（位置する）ことで、綴じ込み側縁部まで移動し難くなる。また、仮に栞１１１の途中部１１１ａが綴じ込み側縁部に落ち込んだとしても、角部Ｐ０部分がカットされていることから、前述した引っ掛かりを防止することができる。特に、第３切欠部８６は円弧状をなすため栞１１１を円滑に開き側に戻すことができる。
【０１１１】
図３２（ａ）〜（ｅ）に示すように、綴込み用紙５，２２の綴じ穴１１´は楕円形状をなす。綴じ穴１１´は、綴込みリング９に対する綴込み用紙５，２２の横方向への相対的な移動を許容する寸法に設定されている。従って、この綴じ穴１１´によれば、綴込み用紙５，２２を、本体カバー２の開き側縁部からはみ出さないように移動させることができる等、綴じ穴１１と同様の効果を得ることができる。尚、綴じ穴の形状を円形（図２９の綴じ穴１１´´参照）に形成する等、適宜変更してもよい
本発明は上記し且つ図面に記載した実施形態にのみ限定されるものではなく、以下のような変形又は拡張が可能である。システム手帳１は、綴込み用紙５，２２のみならず、各種のリフィルを綴じ込むことができると共に、上記した各種の脱落防止手段によって、それら綴じ込み用紙の角部に対する栞の引っ掛かりや脱落を防止することができる。また、上記栞６，５１，５５，９１，９５における夫々の干渉板（干渉部）１６，５３，５８，９２，９５ｂは、何れも平板部として平板状に形成したが、脱落防止手段として機能するものであればよく、その構成材料や形状につき適宜変更してもよい。
【０１１２】
システム手帳１及び書籍２１は文庫判サイズに限定するものではなく、製本システムにおいても他のサイズ（サイズ別）の書籍の発注指示が可能に構成してもよい。また、本発明は、上記したシステム手帳１に限定されるものではなく、複数の綴込みリングを有する綴じ具を備えたファイル全般に適用できるものである。
【符号の説明】
【０１１３】
図面中、１はシステム手帳、２は本体カバー、３は綴じ具、５は綴込み用紙、６，５１，５５，６１，６６，７１，９１，９５，１１１は栞、７はベース、９は綴込みリング（ファイル用リング）、１０は補助リング（補助取付け部）、１１，１１´，１１´´は綴じ穴、１３，６３，６８ｂ，９５ａは装着部、１６，５３，５８，９２，９５ｂは干渉部（脱落防止手段）、２１は書籍、２１´は原本、２２ａは第１書籍綴込み用紙、２２ｂは第２書籍綴込み用紙、２２は綴込み用紙、９´，５４，７５，７５´は係止部（脱落防止手段）、６０は摩擦付与手段（脱落防止手段）、７２は第１面状ファスナー（他端部、脱落防止手段）、７３は第２面状ファスナー（保持部、脱落防止手段）、７４は穴部（補助取付け部）、８０，８１，８２，１１５は第１切欠部（脱落防止手段）、１１６は第２切欠部（脱落防止手段）、９８ａは樹脂製仕切シート（仕切シート）、９８ｂは樹脂製栞シート、２２１〜２２５，２２１Ａ，２２２Ａ，２２２Ａ´は仕切シート、を示す。
【図１】
0005491154.tif 000002
【図２】
0005491154.tif 000003
【図３】
0005491154.tif 000004
【図４】
0005491154.tif 000005
【図５】
0005491154.tif 000006
【図６】
0005491154.tif 000007
【図７】
0005491154.tif 000008
【図８】
0005491154.tif 000009
【図９】
0005491154.tif 000010
【図１０】
0005491154.tif 000011
【図１１】
0005491154.tif 000012
【図１２】
0005491154.tif 000013
【図１３】
0005491154.tif 000014
【図１４】
0005491154.tif 000015
【図１５】
0005491154.tif 000016
【図１６】
0005491154.tif 000017
【図１７】
0005491154.tif 000018
【図１８】
0005491154.tif 000019
【図１９】
0005491154.tif 000020
【図２０】
0005491154.tif 000021
【図２１】
0005491154.tif 000022
【図２２】
0005491154.tif 000023
【図２３】
0005491154.tif 000024
【図２４】
0005491154.tif 000025
【図２５】
0005491154.tif 000026
【図２６】
0005491154.tif 000027
【図２７】
0005491154.tif 000028
【図２８】
0005491154.tif 000029
【図２９】
0005491154.tif 000030
【図３０】
0005491154.tif 000031
【図３１】
0005491154.tif 000032
【図３２】
0005491154.tif 000033